(57)【要約】【課題】低消費電力で２個の処理部が共通のアンテナを共用することができるＩＣカードを提供することである。【解決手段】実施形態のＩＣカードは、第１のＩＣチップと、第２のＩＣチップと、前記第１のＩＣチップと前記第２のＩＣチップに共用されるアンテナとを持つ。前記第１のＩＣチップは、前記アンテナを用いて通信を行う場合に、前記第２のＩＣチップの一部または全部の機能を停止させる。【選択図】図１
2018116479.tif 000002
【特許請求の範囲】
【請求項１】
第１のＩＣチップと、第２のＩＣチップと、前記第１のＩＣチップと前記第２のＩＣチップに共用されるアンテナと、を備え、
前記第１のＩＣチップは、前記アンテナを用いて通信を行う場合に、前記第２のＩＣチップの一部または全部の機能を停止させる、
ＩＣカード。
【請求項２】
前記アンテナと前記第２のＩＣチップとが導通された第１の状態と非導通とされた第２の状態とを切り替えるスイッチを備え、
前記第１のＩＣチップは、前記スイッチを制御して前記第２の状態とすることで、前記第２のＩＣチップの全部の機能を停止させる、
請求項１に記載のＩＣカード。
【請求項３】
前記第１のＩＣチップは、前記第２のＩＣチップを直接制御することで、前記第２のＩＣチップの一部または全部の機能を停止させる、
請求項１または請求項２のいずれか１項に記載のＩＣカード。
【請求項４】
前記第１のＩＣチップは、前記第２のＩＣチップと比べて、前記アンテナを用いて通信を行う場合の消費電力が大きい、または、より高速処理を求められる、
請求項１から請求項３のいずれか１項に記載のＩＣカード。
【請求項５】
第１のＩＣチップを有する第１のＩＣモジュールと、第２のＩＣチップを有する第２のＩＣモジュールと、前記第１のＩＣチップと前記第２のＩＣチップに共用されるアンテナと、前記第１のＩＣモジュールと前記第２のＩＣモジュールと前記アンテナが埋め込まれたカード本体と、を備え、
前記第１のＩＣチップは、前記アンテナを用いて通信を行う場合に、前記第２のＩＣチップの一部または全部の機能を停止させる、
ＩＣカード。
【請求項６】
第１の通信機能を含む第１の処理部と、第２の通信機能を含む第２の処理部と、前記第１の通信機能と前記第２の通信機能に共用されるアンテナと、を備え、
前記第１の処理部は、前記第１の通信機能により前記アンテナを用いて通信を行う場合に、前記第２の処理部の少なくとも一部の機能を停止させる、
ＩＣカード。
【請求項７】
第１の通信機能を含む第１の処理部と第２の通信機能を含む第２の処理部とを有するＩＣモジュールと、前記第１の通信機能と前記第２の通信機能に共用されるアンテナと、前記ＩＣモジュールと前記アンテナが埋め込まれたカード本体と、を備え、
前記第１の処理部は、前記第１の通信機能により前記アンテナを用いて通信を行う場合に、前記第２の処理部の少なくとも一部の機能を停止させる、
ＩＣカード。
【発明の詳細な説明】
【技術分野】
【０００１】
本発明の実施形態は、ＩＣカードに関する。
【背景技術】
【０００２】
ＩＣカードシステムでは、ＩＣ（Integrated Circuit）カードと端末（リーダライタの端末）とが通信することで、各種の取引が行われる。
例えば、アンテナを用いて非接触で通信するＩＣカードが知られている。また、それぞれ独立に動作する２個のＩＣチップが１個のアンテナを共用するＩＣカードが知られている。
【０００３】
２個のＩＣチップが１個のアンテナを共用するＩＣカードでは、片方のＩＣチップが外部の端末と非接触で通信するときに、当該端末から供給される電力を両方のＩＣチップが消費してしまう場合があった。このため、このようなＩＣカードでは、端末から選択されたＩＣチップが負荷の重い処理を実行するときには、電力不足となって通信エラーが発生してしまう場合があった。ここで、負荷の重い処理は、例えば、書込み処理あるいは暗号処理などである。
実運用上、端末によって、非接触の通信に使用される磁界の強さは大小様々である。このため、２個のＩＣチップが１個のアンテナを共用するＩＣカードでは、実運用上、一連の取引が全くできなくなる可能性があった。
なお、ＩＣカードの規格の要求により、迅速な応答性が要求されるため、ＩＣカードでは、端末から非接触で信号が到来すると、２個のＩＣチップの両方が反応してしまう。
【先行技術文献】
【特許文献】
【０００４】
【特許文献１】特開２００４−７８７６８号公報
【発明の概要】
【発明が解決しようとする課題】
【０００５】
本発明が解決しようとする課題は、低消費電力で２個の処理部が共通のアンテナを共用することができるＩＣカードを提供することである。
【課題を解決するための手段】
【０００６】
実施形態のＩＣカードは、第１のＩＣチップと、第２のＩＣチップと、前記第１のＩＣチップと前記第２のＩＣチップに共用されるアンテナとを持つ。前記第１のＩＣチップは、前記アンテナを用いて通信を行う場合に、前記第２のＩＣチップの一部または全部の機能を停止させる。
【図面の簡単な説明】
【０００７】
【図１】実施形態の通信システムを示す図。
【図２】実施形態のＩＣチップのハードウェアの構成の一例を示す図。
【図３】実施形態のＩＣカードの概略構成の一例を示す図。
【図４】実施形態のスイッチ制御を行うＩＣチップにおいて行われる処理の手順の一例を示すフローチャート。
【図５】実施形態のＩＣカードを示す図。
【図６】実施形態のＩＣカードを示す図。
【図７】実施形態のＩＣカードの概略構成の一例を示す図。
【図８】実施形態のＩＣカードを示す図。
【発明を実施するための形態】
【０００８】
以下、実施形態のＩＣカードを、図面を参照して説明する。
【０００９】
（第１の実施形態）
図１は、実施形態の通信システム１を示す図である。
通信システム１は、ＩＣカード１１と、端末１２を備える。ＩＣカード１１と端末１２は、無線の通信路１３を介して、通信する。
ここで、端末１２は、ＩＣカード１１と通信するリーダライタ（Ｒ／Ｗ）の端末であり、ＩＣカード１１にとって外部の端末となる。ＩＣカード１１は、端末１２からの指示（コマンド）を解釈して当該指示に応じた処理を実行し、その結果を端末１２へ応答する。
本実施形態では、１枚のＩＣカード１１と１台の端末１２とが通信する。
【００１０】
ＩＣカード１１と端末１２は、それぞれ、非接触方式のインターフェースを備える。非接触方式では、ＩＣカード１１と端末１２とのそれぞれにループアンテナなどのアンテナが設けられて、端末１２のアンテナとＩＣカード１１のアンテナ（図１の例では、アンテナ２１）との間での電磁誘導により、端末１２とＩＣカード１１とが通信する。この場合、電磁誘導が行われる空中の経路（無線の経路）が、無線の通信路１３となる。
本実施形態では、ＩＣカード１１は電源を備えておらず、端末１２からＩＣカード１１へ非接触方式で電力を供給する。
【００１１】
ＩＣカード１１について説明する。
ＩＣカード１１は、アンテナ２１と、第１の通信処理方式（例えば、第１の規格）に適合した第１のＩＣチップ（ＩＣチップ２２）と、第１の通信処理方式とは異なる第２の通信処理方式（例えば、第２の規格）に適合した第２のＩＣチップ（ＩＣチップ２３）と、スイッチ２４を備える。本実施形態では、ＩＣチップ２２の方が、ＩＣチップ２３と比べて、非接触の通信に必要な電力（消費電力）が大きい構成となっている。また、本実施形態では、ＩＣチップ２２の方が、ＩＣチップ２３と比べて、高速処理が求められる構成となっている。
ここで、ＩＣカード１１に関する通信処理方式としては、例えば、いわゆるタイプＡ、タイプＢ、タイプＣなどがある。
ＩＣチップ２２は、処理部３１と、記憶部３２を備える。処理部３１は、通信処理部５１と、スイッチ切替部５２を備える。
ＩＣチップ２３は、処理部７１と、記憶部７２を備える。処理部７１は、通信処理部９１を備える。
【００１２】
アンテナ２１は、例えば、ループアンテナなどである。
第１の通信処理方式を用いるＩＣチップ２２において、処理部３１は、各種の処理を実行する。例えば、通信処理部５１は、アンテナ２１を用いて非接触で端末１２との通信処理を実行する。また、スイッチ切替部５２は、スイッチ２４のオン状態とオフ状態とを切り替える。ＩＣチップ２２において、記憶部３２は、各種のデータを記憶する。本実施形態では、処理部３１は、ＣＰＵ（Central Processing Unit）を有し、記憶部３２の領域に記憶されたプログラムを実行して、各種の処理を実行する。
【００１３】
第２の通信処理方式を用いるＩＣチップ２３において、処理部７１は、各種の処理を実行する。例えば、通信処理部９１は、アンテナ２１を用いて非接触で端末１２との通信処理を実行する。ＩＣチップ２３において、記憶部７２は、各種のデータを記憶する。本実施形態では、処理部７１は、ＣＰＵを有し、記憶部７２の領域に記憶されたプログラムを実行して、各種の処理を実行する。
【００１４】
スイッチ２４は、アンテナ２１とＩＣチップ２３とを接続する導線の途中に設けられている。スイッチ２４は、外部からの制御信号にしたがって、当該導線の途中を導通することでアンテナ２１とＩＣチップ２３とを電気的に接続する状態（オン状態）と、当該導線の途中を非導通とすることでアンテナ２１とＩＣチップ２３とを電気的に接続しない状態（オフ状態）とを切り替える。
本実施形態では、ＩＣチップ２２のスイッチ切替部５２が、制御信号をスイッチ２４に出力することで、当該スイッチ２４のオン状態とオフ状態とを切り替える。
ここで、スイッチ２４は、例えば、トランジスタなどを用いて構成されている。一例として、スイッチ２４はトランジスタであり、当該トランジスタのエミッタおよびコレクタのうちの一方がアンテナ２１と接続されるとともに他方がＩＣチップ２３に接続され、当該トランジスタのベースにＩＣチップ２２のスイッチ切替部５２からの制御信号が入力される。
【００１５】
図２は、実施形態のＩＣチップ２２のハードウェアの構成の一例を示す図である。
ＩＣチップ２２は、プログラムなどを記憶するＲＯＭ（Read Only Memory）１１１と、データを一時的に保持するＲＡＭ（Random Access Memory）１１２と、記憶内容が書き換え可能な不揮発性記憶装置（ＮＶＭ：Non-Volatile Memory）であるＥＥＰＲＯＭ（Electrically Erasable Programmable ＲＯＭ）１１３と、ＣＰＵ１１４と、コプロセッサ（Co-Processor）１１５と、これらを接続するシステムバス１１６を備える。図２の例では、記憶部３２は、ＲＯＭ１１１と、ＲＡＭ１１２と、ＥＥＰＲＯＭ１１３を用いて構成されている。なお、それぞれの情報を記憶するメモリとしては、様々なメモリが用いられてもよい。
【００１６】
図２の例では、ＩＣチップ２２に、ＣＰＵ１１４を補助するために特定の処理を実行するコプロセッサ１１５を設けてある。ここで、特定の処理は、例えば、データを暗号化する処理、および暗号化データを復号化する処理である。図２の例では、処理部３１は、ＣＰＵ１１４およびコプロセッサ１１５を用いて構成されている。
他の構成例として、ＩＣチップ２２にコプロセッサ１１５を備えずに、すべての処理をＣＰＵ１１４により実行してもよい。
【００１７】
ここで、図２では、実施形態のＩＣチップ２２のハードウェアの構成の一例を示したが、実施形態のＩＣチップ２３のハードウェアの構成の一例も同様である。
【００１８】
図３は、実施形態のＩＣカード１１の概略構成の一例を示す図である。
図３に示されるように、ＩＣカード１１は、概略的に、アンテナ２１と、第１のＩＣモジュール（ＩＣモジュール１５１）と、第２のＩＣモジュール（ＩＣモジュール１５２）を備える。なお、図３の例では、スイッチ２４については図示を省略してある。また、ＩＣカード１１は、例えば、ディスプレイ画面などの他の構成部を備えてもよい。
ＩＣモジュール１５１は、内部にＩＣチップ２２を備える。ＩＣモジュール１５２は、内部にＩＣチップ２３を備える。
ＩＣカード１１は、例えば、プラスチックのカード基材１６１（カード本体の一例）に、アンテナ２１と、２個のＩＣモジュール１５１〜１５２を実装して構成されている。このように、ＩＣカード１１は、ＩＣモジュール１５１〜１５２と、ＩＣモジュール１５１〜１５２が埋め込まれたカード基材１６１を備える。
【００１９】
ここで、それぞれのＩＣモジュール１５１〜１５２は、例えば、テープ上にＩＣモジュールが複数配置されたＣＯＴ（Chip On Tape）などの形態で取引される。
また、それぞれのＩＣチップ２２〜２３は、例えば、１チップのマイクロプロセッサなどのＬＳＩ（Large Scale Integration）を用いて構成される。
【００２０】
実施形態のＩＣカード１１において行われる処理について説明する。
本実施形態では、２個のＩＣチップ２２〜２３のうちで非接触の通信に必要な電力が大きいＩＣチップ２２は、外部の端末１２との通信に使用される信号入出力部（図１の例では、アンテナ２１と接続されている部分）とは別に、制御信号の出力に使用される信号入出力部（図１の例では、スイッチ２４と接続されている部分）を備えている。
【００２１】
端末１２は、２個のＩＣチップ２２〜２３のうちのいずれか一方のＩＣチップの通信処理方式にしたがって、当該一方のＩＣチップに対して信号を非接触で送信する。当該一方のＩＣチップは、例えば、ＩＣカード１１を用いて行われる取引の内容などによって適宜選択される。
非接触の通信に必要な電力が大きいＩＣチップ２２は、端末１２からアンテナ２１を介して受信された信号に基づいて、自己（ＩＣチップ２２）が通信対象として選択されたか否かを判定する。
【００２２】
そして、ＩＣチップ２２は、自己（ＩＣチップ２２）が通信対象として選択されたと判定した場合には、スイッチ２４をオフ状態にして、アンテナ２１からの電力がＩＣチップ２３に供給されないようにする。これにより、ＩＣカード１１では、消費電力を抑制することが可能になり、電力不足による通信エラーが発生することを抑制して、選択されたＩＣチップ２２の正常動作を保証することができ、非接触の通信を安定化することができる。
一方、ＩＣチップ２２は、自己（ＩＣチップ２２）が通信対象として選択されなかったと判定した場合には、スイッチ２４をオン状態にして、アンテナ２１からの電力がＩＣチップ２３に供給されるようにする。この場合、ＩＣチップ２２は、例えば、低消費電力モードに遷移してもよい。
なお、ＩＣチップ２２は、スイッチ２４の状態（オン状態またはオフ状態）が希望の状態である場合にはそのままの状態を保持し、スイッチ２４の状態が希望の状態ではない場合には希望の状態に切り替える。
【００２３】
このように、ＩＣカード１１では、非接触の通信処理方式が異なる２個のＩＣチップ２２〜２３が１個のアンテナ２１に並列に接続されている。そして、ＩＣカード１１では、端末１２によって一方のＩＣチップ２２が選択された場合、選択された当該ＩＣチップ２２が他方のＩＣチップ２３の動作の一部または全部を停止させる。
【００２４】
図４は、実施形態のスイッチ制御を行うＩＣチップ２２において行われる処理の手順の一例を示すフローチャートである。
初期の状態では、スイッチ２４はオン状態であるとする。
【００２５】
（ステップＳ１）
端末１２とＩＣカード１１との通信の開始時に、端末１２からＩＣカード１１に対して、所定のコマンドの信号が非接触で送信される。ＩＣチップ２２は、通信処理部５１により、アンテナ２１を介して、当該コマンドの信号を受信する。
【００２６】
（ステップＳ２）
ＩＣチップ２２は、通信処理部５１により、受信されたコマンドの信号について、当該コマンドの通信処理方式を特定する。
【００２７】
（ステップＳ３）
ＩＣチップ２２は、通信処理部５１により、特定された通信処理方式が自己（当該ＩＣチップ２２）の通信処理方式であるか否かを判定する。
【００２８】
（ステップＳ４）
ＩＣチップ２２は、通信処理部５１により、特定された通信処理方式が自己（当該ＩＣチップ２２）の通信処理方式であると判定した場合には（ステップＳ３：ＹＥＳ）、スイッチ切替部５２により、スイッチ２４をオフ状態に切り替える。これにより、他のＩＣチップ２３はアンテナ２１と切り離され、当該他のＩＣチップ２３の通信機能が抑制される（本実施形態では、オフにされる）。
【００２９】
（ステップＳ５）
続けて、ＩＣチップ２２は、自己（当該ＩＣチップ２２）の通信処理方式にしたがって、端末１２との間で通信して、処理を実行する。その後、本フローの処理が終了する。
【００３０】
一方、ステップＳ３の処理において、ＩＣチップ２２は、通信処理部５１により、特定された通信処理方式が自己（当該ＩＣチップ２２）の通信処理方式ではないと判定した場合には（ステップＳ３：ＮＯ）、スイッチ２４がオン状態であるままとする。そして、本フローの処理が終了する。この場合、他のＩＣチップ２３は、当該他のＩＣチップ２３の通信処理方式にしたがって、端末１２との間で通信して、処理を実行する。
【００３１】
ここで、一方のＩＣチップ２２が他方のＩＣチップ２３に関してオン状態からオフ状態へ切り替えるタイミング（本実施形態では、スイッチ２４の状態を切り替えるタイミング）としては、様々なタイミングが用いられてもよい。
一例として、一方のＩＣチップ２２は、端末１２から非接触で送信された初期のコマンドの信号を受信して解釈し、受信されたコマンドの信号が自己（当該ＩＣチップ２２）の通信処理方式に適合するものであると判定したタイミングで、他方のＩＣチップ２３に関してオン状態からオフ状態へ切り替えてもよい。この場合、例えば、他方のＩＣチップ２３では、端末１２から非接触で送信された初期のコマンドの信号については受信して解釈する可能性があるが、それ以降に端末１２から非接触で送信されてくるコマンドについては受信および解釈が行われなくなる。通常、コマンドの解釈では、暗号化および復号化の処理の負荷が大きいが、このような構成では、他方のＩＣチップ２３において、当該処理の負荷を軽減して、消費電力を低下させることが可能である。
【００３２】
上記実施形態によれば、ＩＣカード１１において、第１のＩＣチップ（本実施形態では、ＩＣチップ２２）と、第２のＩＣチップ（本実施形態では、ＩＣチップ２３）と、第１のＩＣチップと第２のＩＣチップに共用されるアンテナ２１と、を備え、第１のＩＣチップは、アンテナ２１を用いて通信を行う場合に、第２のＩＣチップの一部または全部の機能（本実施形態では、全部の機能）を停止させる機能（本実施形態では、処理部３１の機能）を備える。
これにより、ＩＣカード１１では、低消費電力で２個の処理部（本実施形態では、ＩＣチップ２２の処理部３１、ＩＣチップ２３の処理部７１）が共通のアンテナ２１を共用することができる。
【００３３】
上記実施形態によれば、ＩＣカード１１において、アンテナ２１と第２のＩＣチップとが導通された第１の状態（本実施形態では、オン状態）と非導通とされた第２の状態（本実施形態では、オフ状態）とを切り替えるスイッチ２４を備え、第１のＩＣチップ（本実施形態では、第１のＩＣチップの処理部３１の機能）は、スイッチ２４を制御して第２の状態とすることで、第２のＩＣチップの全部の機能を停止させる。
これにより、ＩＣカード１１では、一方のＩＣチップ２２により非接触の通信が行われる場合に、アンテナ２１と他方のＩＣチップ２３とを非導通状態にすることで、アンテナ２１から当該一方のＩＣチップ２２に供給される電力を十分に確保することができる。
【００３４】
上記実施形態によれば、ＩＣカード１１において、第１のＩＣチップは、第２のＩＣチップと比べて、アンテナ２１を用いて通信を行う場合の消費電力が大きい。
これにより、アンテナ２１を用いて通信を行う場合の消費電力が大きいＩＣチップ２２について、当該ＩＣチップ２２による非接触の通信で消費可能な電力を十分に確保することができる。
上記実施形態によれば、ＩＣカード１１において、第１のＩＣチップは、第２のＩＣチップと比べて、より高速処理を求められる。
これにより、より高速処理を求められるＩＣチップ２２について、当該ＩＣチップ２２による処理の速度（高速処理）を十分に確保することができる。
【００３５】
上記実施形態によれば、一構成例として、ＩＣカード１１において、第１のＩＣチップを有する第１のＩＣモジュール（ＩＣモジュール１５１）と、第２のＩＣチップを有する第２のＩＣモジュール（ＩＣモジュール１５２）と、第１のＩＣチップと第２のＩＣチップにより共用されるアンテナ２１と、第１のＩＣモジュールと第２のＩＣモジュールとアンテナ２１が埋め込まれたカード本体（カード基材１６１）と、を備える構成とすることが可能である。
【００３６】
（第２の実施形態）
図５は、実施形態のＩＣカード２１１を示す図である。
概略的には、ＩＣカード２１１は、図１に示される端末１２と同様な端末と、無線の通信路を介して、通信する。
【００３７】
ＩＣカード２１１は、アンテナ３１１と、第１の通信処理方式（例えば、第１の規格）に適合した第１のＩＣチップ（ＩＣチップ３１２）と、第１の通信処理方式とは異なる第２の通信処理方式（例えば、第２の規格）に適合した第２のＩＣチップ（ＩＣチップ３１３）を備える。本実施形態では、ＩＣチップ３１２の方が、ＩＣチップ３１３と比べて、非接触の通信に必要な電力（消費電力）が大きい構成となっている。また、本実施形態では、ＩＣチップ３１２の方が、ＩＣチップ３１３と比べて、高速処理が求められる構成となっている。
ＩＣチップ３１２は、処理部３３１と、記憶部３３２を備える。処理部３３１は、通信処理部３５１と、抑制部３５２を備える。
ＩＣチップ３１３は、処理部３７１と、記憶部３７２を備える。処理部３７１は、通信処理部３９１を備える。
【００３８】
アンテナ３１１は、例えば、ループアンテナなどである。
第１の通信処理方式を用いるＩＣチップ３１２において、処理部３３１は、各種の処理を実行する。例えば、通信処理部３５１は、アンテナ３１１を用いて非接触で端末との通信処理を実行する。また、抑制部３５２は、ＩＣチップ３１３の処理部３７１について所定のオン状態と所定のオフ状態とを切り替える。ＩＣチップ３１２において、記憶部３３２は、各種のデータを記憶する。本実施形態では、処理部３３１は、ＣＰＵを有し、記憶部３３２の領域に記憶されたプログラムを実行して、各種の処理を実行する。
【００３９】
第２の通信処理方式を用いるＩＣチップ３１３において、処理部３７１は、各種の処理を実行する。例えば、通信処理部３９１は、アンテナ３１１を用いて非接触で端末との通信処理を実行する。ＩＣチップ３１３において、記憶部３７２は、各種のデータを記憶する。本実施形態では、処理部３７１は、ＣＰＵを有し、記憶部３７２の領域に記憶されたプログラムを実行して、各種の処理を実行する。
【００４０】
ＩＣチップ３１３の処理部３７１は、外部からの制御信号にしたがって、所定のオン状態と所定のオフ状態とが切り替わる。
本実施形態では、ＩＣチップ３１２の抑制部３５２が、制御信号をＩＣチップ３１３に出力することで、当該ＩＣチップ３１３の処理部３７１について所定のオン状態と所定のオフ状態とを切り替える。
【００４１】
ここで、ＩＣチップ３１３において、所定のオフ状態は、所定のオン状態であるときと比べて、消費電力が低下する状態である。所定のオン状態としては、例えば、通常の動作状態が用いられてもよい。また、所定のオフ状態としては、様々な状態が用いられてもよく、例えば、通信処理部３９１の通信機能がオフになった状態、あるいは、ＩＣチップ３１３における処理部３７１を構成するＣＰＵがスリープ状態となった状態が用いられてもよい。
【００４２】
具体例として、ＩＣチップ３１２における抑制部３５２は、ＩＣチップ３１３に供給される電源（本実施形態では、アンテナ３１１からの電力）をオンとしたオン状態と、ＩＣチップ３１３に供給される電源をオフとしたオフ状態とを切り替えることが可能であってもよい。一例として、ＩＣチップ３１３に供給される電源のオンとオフとを切り替えるスイッチが当該ＩＣチップ３１３の内部に備えられて、ＩＣチップ３１２における抑制部３５２が当該スイッチを制御してもよい。
他の具体例として、ＩＣチップ３１３に供給される電源がオンにされたまま、ＩＣチップ３１２における抑制部３５２が、当該ＩＣチップ３１３が有する所定の一部または全部の機能をオフ（不可）としてもよい。一例として、ＩＣチップ３１２における抑制部３５２が、ＩＣチップ３１３に対して強制リセットの信号（制御信号の一例）を出力し続けることで、当該ＩＣチップ３１３の動作を停止させてもよい。
【００４３】
実施形態のＩＣカード２１１において行われる処理について説明する。
本実施形態では、２個のＩＣチップ３１２〜３１３のうちで非接触の通信に必要な電力が大きいＩＣチップ３１２は、外部の端末との通信に使用される信号入出力部（図５の例では、アンテナ３１１と接続されている部分）とは別に、制御信号の出力に使用される信号入出力部（図５の例では、ＩＣチップ３１３と接続されている部分）を備えている。
また、他方のＩＣチップ３１３は、外部の端末との通信に使用される信号入出力部（図５の例では、アンテナ３１１と接続されている部分）とは別に、制御信号の入力に使用される信号入出力部（図５の例では、ＩＣチップ３１２と接続されている部分）を備えている。
なお、このような制御信号としては、例えば、電圧のレベルがハイ（Ｈ）とロウ（Ｌ）との２値を有する制御信号が用いられてもよい。一例として、このような制御信号として、ＩＣチップ３１３の所定の一部または全部の動作を停止させるためのコマンドの信号が用いられてもよい。
【００４４】
端末は、２個のＩＣチップ３１２〜３１３のうちのいずれか一方のＩＣチップの通信処理方式にしたがって、当該一方のＩＣチップに対して信号を非接触で送信する。当該一方のＩＣチップは、例えば、ＩＣカード２１１を用いて行われる取引の内容などによって適宜選択される。
非接触の通信に必要な電力が大きいＩＣチップ３１２は、端末からアンテナ３１１を介して受信された信号に基づいて、自己（ＩＣチップ３１２）が通信対象として選択されたか否かを判定する。
【００４５】
そして、ＩＣチップ３１２は、自己（ＩＣチップ３１２）が通信対象として選択されたと判定した場合には、ＩＣチップ３１３を所定のオフ状態にして、アンテナ３１１からの電力がＩＣチップ３１３で消費される電力を低下させる。これにより、ＩＣカード２１１では、消費電力を抑制することが可能になり、電力不足による通信エラーが発生することを抑制して、選択されたＩＣチップ３１２の正常動作を保証することができ、非接触の通信を安定化することができる。
一方、ＩＣチップ３１２は、自己（ＩＣチップ３１２）が通信対象として選択されなかったと判定した場合には、ＩＣチップ３１３を所定のオン状態にして、ＩＣチップ３１３を通常の動作状態とする。この場合、ＩＣチップ３１３では、通常通りに、アンテナ３１１からの電力が消費される。また、この場合、ＩＣチップ３１２は、例えば、低消費電力モードに遷移してもよい。
【００４６】
このように、ＩＣカード２１１では、非接触の通信処理方式が異なる２個のＩＣチップ３１２〜３１３が１個のアンテナ３１１に並列に接続されている。そして、ＩＣカード２１１では、端末によって一方のＩＣチップ３１２が選択された場合、選択された当該ＩＣチップ３１２が他方のＩＣチップ３１３の動作の一部または全部を停止させる。
【００４７】
なお、ＩＣチップ３１３の制御を行うＩＣチップ３１２において行われる処理の手順の一例は、概略的に、図４に示されるフローチャートと同様である。
初期の状態では、ＩＣチップ３１３はオン状態であるとする。
本実施形態では、図４に示される（ステップＳ４）の処理において、一方のＩＣチップ３１２は、他方のＩＣチップ３１３を直接制御することで、当該他方のＩＣチップ３１３の所定の一部または全部の機能の起動の可否（起動のオンとオフ）について、当該起動を不可（オフ）とするように切り替える。
【００４８】
上記実施形態によれば、ＩＣカード２１１において、第１のＩＣチップ（本実施形態では、ＩＣチップ３１２）と、第２のＩＣチップ（本実施形態では、ＩＣチップ３１３）と、第１のＩＣチップと第２のＩＣチップにより共用されるアンテナ３１１と、を備え、第１のＩＣチップは、アンテナ３１１を用いて通信を行う場合に、第２のＩＣチップの一部または全部の機能を停止させる機能（本実施形態では、処理部３３１の機能）を備える。
これにより、ＩＣカード２１１では、低消費電力で２個の処理部（本実施形態では、ＩＣチップ３１２の処理部３３１、ＩＣチップ３１３の処理部３７１）が共通のアンテナ３１１を共用することができる。
【００４９】
上記実施形態によれば、ＩＣカード２１１において、第１のＩＣチップ（本実施形態では、第１のＩＣチップの処理部３３１の機能）は、第２のＩＣチップを直接制御することで、第２のＩＣチップの一部または全部の機能を停止させる。
これにより、ＩＣカード２１１では、一方のＩＣチップ３１２により非接触の通信が行われる場合に、他方のＩＣチップ３１３の一部または全部の機能を停止させることで、アンテナ３１１から当該一方のＩＣチップ３１２に供給される電力を十分に確保することができる。
【００５０】
上記実施形態によれば、ＩＣカード２１１において、第１のＩＣチップは、第２のＩＣチップと比べて、アンテナ３１１を用いて通信を行う場合の消費電力が大きい。
これにより、アンテナ３１１を用いて通信を行う場合の消費電力が大きいＩＣチップ３１２について、当該ＩＣチップ３１２による非接触の通信で消費可能な電力を十分に確保することができる。
上記実施形態によれば、ＩＣカード２１１において、第１のＩＣチップは、第２のＩＣチップと比べて、より高速処理を求められる。
これにより、より高速処理を求められるＩＣチップ３１２について、当該ＩＣチップ３１２による処理の速度（高速処理）を十分に確保することができる。
【００５１】
上記実施形態によれば、一構成例として、ＩＣカード２１１において、第１のＩＣチップを有する第１のＩＣモジュールと、第２のＩＣチップを有する第２のＩＣモジュールと、第１のＩＣチップと第２のＩＣチップにより共用されるアンテナ３１１と、第１のＩＣモジュールと第２のＩＣモジュールとアンテナ３１１が埋め込まれたカード本体と、を備える構成とすることが可能である。
【００５２】
なお、図１に示されるように一方のＩＣチップ２２がスイッチ２４を制御することで他方のＩＣチップ２３を制御する構成と、図５に示されるように一方のＩＣチップ３１２が他方のＩＣチップ３１３を直接制御する構成との両方を備えたＩＣカードが実施されてもよい。
【００５３】
（第３の実施形態）
図６は、実施形態のＩＣカード４１１を示す図である。
ＩＣカード４１１は、アンテナ２１と、第１の通信処理方式（例えば、第１の規格）に適合した第１のＩＣチップ（ＩＣチップ２２）と、第１の通信処理方式とは異なる第２の通信処理方式（例えば、第２の規格）に適合した第２のＩＣチップ（ＩＣチップ５１１）と、コンタクト部５１２と、スイッチ２４を備える。本実施形態では、ＩＣチップ２２の方が、ＩＣチップ５１１と比べて、非接触の通信に必要な電力（消費電力）が大きい構成となっている。また、本実施形態では、ＩＣチップ２２の方が、ＩＣチップ５１１と比べて、高速処理が求められる構成となっている。
ＩＣチップ２２は、処理部３１と、記憶部３２を備える。処理部３１は、通信処理部５１と、スイッチ切替部５２を備える。
ＩＣチップ５１１は、処理部５３１と、記憶部５３２を備える。処理部５３１は、通信処理部５５１を備える。
【００５４】
ここで、本実施形態のＩＣカード４１１は、概略的には、図１に示されるＩＣカード１１と比べて、２個のＩＣチップ２２、５１１のうちの１個のＩＣチップ５１１に対してコンタクト部５１２が設けられている。
本実施形態および図６では、説明の便宜上、図１に示される構成部と同様な構成部については同じ符号を付してある。
【００５５】
ＩＣチップ５１１は、図１に示されるＩＣチップ２３と同様な機能を有しており、さらに、コンタクト部５１２を介して外部の端末と通信する機能を有する。具体的には、処理部５３１および記憶部５３２は、それぞれ、図１に示される処理部７１および記憶部７２と同様な機能を有している。さらに、通信処理部５５１は、図１に示される通信処理部９１と同様な機能と、コンタクト部５１２を介して外部の端末と通信する機能を有する。
本実施形態では、外部の端末は、ＩＣカード４１１と非接触方式で通信する機能と、ＩＣカード４１１と接触方式で通信する機能と、のいずれか一方または両方を有する。
【００５６】
接触方式では、ＩＣカード４１１と端末のそれぞれに金属の接触点（コンタクト部）が設けられて、端末の接触点とＩＣカード４１１の接触点とが接触させられた状態で、端末とＩＣカード４１１とが通信する。この場合、これらの接触点により接続される端末とＩＣカード４１１とをつなぐ導電性の経路（有線の経路）が、有線の通信路となる。端末は、ＩＣカード４１１が挿入されたときにそれぞれの金属の接触点が接触させられる構造を有する接触通信用の挿入口を備える。
【００５７】
図７は、実施形態のＩＣカード４１１の概略構成の一例を示す図。
図７に示されるように、ＩＣカード４１１は、概略的に、アンテナ２１と、第１のＩＣモジュール（ＩＣモジュール１５１）と、第２のＩＣモジュール（ＩＣモジュール１７１）を備える。なお、図７の例では、スイッチ２４については図示を省略してある。また、ＩＣカード１１は、例えば、ディスプレイ画面などの他の構成部を備えてもよい。
【００５８】
ここで、本実施形態のＩＣカード４１１は、概略的には、図３に示されるＩＣカード１１と比べて、２個のＩＣチップ２２、５１１のうちの１個のＩＣチップ５１１に対してコンタクト部５１２が設けられている。
本実施形態および図７では、説明の便宜上、図３に示される構成部と同様な構成部については同じ符号を付してある。
【００５９】
ＩＣモジュール１５１は、内部にＩＣチップ２２を備える。ＩＣモジュール１７１は、コンタクト部５１２を備え、内部にＩＣチップ５１１を備える。
ＩＣカード４１１は、例えば、プラスチックのカード基材１８１（カード本体の一例）に、アンテナ２１と、２個のＩＣモジュール１５１、１７１を実装して構成されている。このように、ＩＣカード４１１は、ＩＣモジュール１５１、１７１と、ＩＣモジュール１５１、１７１が埋め込まれたカード基材１８１を備える。
【００６０】
コンタクト部５１２は、ＩＣカード４１１が動作するために必要な各種信号の端子を有する。ここで、各種信号の端子は、例えば、電源電圧、クロック信号、リセット信号などの供給を端末から受ける端子、および、端末と通信するためのシリアルデータ入出力端子（ＳＩＯ端子）を含む。端末から供給を受ける端子には、電源端子（ＶＤＤ端子、ＧＮＤ端子）、クロック信号端子（ＣＬＫ端子）、およびリセット信号端子（ＲＳＴ端子）が含まれる。
【００６１】
ここで、本実施形態では、ＩＣチップ５１１が非接触方式の通信と接触方式の通信との両方を行うことが可能な点で、ＩＣカード４１１はいわゆるコンビカードである。
なお、図６の例では、ＩＣチップ５１１に対してコンタクト部５１２が設けられたが、他の構成例として、ＩＣチップ５１１の代わりに、ＩＣチップ２２に対してコンタクト部５１２が設けられてもよい。
また、図６の例では、一方のＩＣチップ２２がスイッチ２４を制御することで他方のＩＣチップ５１１を制御する構成（図１に示されるのと同様な構成）が用いられたが、他の構成例として、一方のＩＣチップ２２が他方のＩＣチップ５１１を直接制御する構成（図５に示されるのと同様な構成）が用いられてもよい。
【００６２】
なお、端末とＩＣカード４１１とが非接触方式で通信する場合に、ＩＣチップ５１１の制御を行うＩＣチップ２２において行われる処理の手順の一例は、概略的に、図４に示されるフローチャートと同様である。
【００６３】
上記実施形態によれば、ＩＣカード４１１では、コンタクト部５１２を有するＩＣチップ５１１を備えた構成において、例えば、第１の実施形態あるいは第２の実施形態と同様な効果を得ることができる。
【００６４】
（第４の実施形態）
図８は、実施形態のＩＣカード６１１を示す図である。
概略的には、ＩＣカード６１１は、図１に示される端末１２と同様な端末と、無線の通信路を介して、通信する。
【００６５】
ＩＣカード６１１は、アンテナ７１１と、ＩＣチップ７１２を備える。ＩＣチップ７１２は、第１の通信処理方式（例えば、第１の規格）に適合した第１の処理部（処理部７３１）と、第１の通信処理方式とは異なる第２の通信処理方式（例えば、第２の規格）に適合した第２の処理部（処理部７３２）と、記憶部７３３を備える。処理部７３１は、通信処理部７５１と、抑制部７５２を備える。処理部７３２は、通信処理部７７１を備える。
本実施形態では、処理部７３１における通信処理部７５１の方が、処理部７３２における通信処理部７７１と比べて、非接触の通信に必要な電力（消費電力）が大きい構成となっている。また、本実施形態では、処理部７３１における通信処理部７５１の方が、処理部７３２における通信処理部７７１と比べて、高速処理が求められる構成となっている。
なお、図８の例では、ＩＣチップ７１２において、２個の処理部７３１〜７３２に共通な記憶部７３３が備えられているが、他の構成例として、それぞれの処理部７３１〜７３２ごとに記憶部が備えられてもよい。
【００６６】
アンテナ７１１は、例えば、ループアンテナなどである。
ＩＣチップ７１２において、記憶部７３３は、各種のデータを記憶する。
ＩＣチップ７１２において、第１の通信処理方式を用いる処理部７３１は、各種の処理を実行する。例えば、通信処理部７５１は、アンテナ７１１を用いて非接触で端末との通信処理を実行する。また、抑制部７５２は、処理部７３２について所定のオン状態と所定のオフ状態とを切り替える。本実施形態では、処理部７３１は、ＣＰＵを有し、記憶部７３３の領域に記憶されたプログラム（処理部７３１のためのプログラム）を実行して、各種の処理を実行する。
【００６７】
ＩＣチップ７１２において、第２の通信処理方式を用いる処理部７３２は、各種の処理を実行する。例えば、通信処理部７７１は、アンテナ７１１を用いて非接触で端末との通信処理を実行する。本実施形態では、処理部７３２は、ＣＰＵを有し、記憶部７３３の領域に記憶されたプログラム（処理部７３２のためのプログラム）を実行して、各種の処理を実行する。
処理部７３２は、処理部７３１からの制御にしたがって、所定のオン状態と所定のオフ状態とが切り替わる。
本実施形態では、処理部７３１における抑制部７５２が、処理部７３２を制御して、当該処理部７３２について所定のオン状態と所定のオフ状態とを切り替える。
【００６８】
ここで、処理部７３２において、所定のオフ状態は、所定のオン状態であるときと比べて、消費電力が低下する状態である。所定のオン状態としては、例えば、通常の動作状態が用いられてもよい。また、所定のオフ状態としては、様々な状態が用いられてもよく、例えば、通信処理部７７１の通信機能がオフになった状態、あるいは、処理部７３１と処理部７３２とが異なるＣＰＵを用いて構成される場合に、処理部７３２を構成するＣＰＵがスリープ状態となった状態が用いられてもよい。
【００６９】
実施形態のＩＣカード６１１において行われる処理について説明する。
端末は、２個の処理部７３１〜７３２のうちのいずれか一方の処理部の通信処理方式にしたがって、当該一方の処理部に対して信号を非接触で送信する。当該一方の処理部は、例えば、ＩＣカード６１１を用いて行われる取引の内容などによって適宜選択される。
本実施形態では、２個の処理部７３１〜７３２のうちで非接触の通信に必要な電力が大きい処理部７３１は、端末からアンテナ７１１を介して受信された信号に基づいて、自己（処理部７３１）が通信対象として選択されたか否かを判定する。
【００７０】
そして、処理部７３１は、自己（処理部７３１）が通信対象として選択されたと判定した場合には、処理部７３２を所定のオフ状態にして、アンテナ７１１からの電力が処理部７３２で消費される電力を低下させる。これにより、ＩＣカード６１１では、消費電力を抑制することが可能になり、電力不足による通信エラーが発生することを抑制して、選択された処理部７３１の正常動作を保証することができ、非接触の通信を安定化することができる。
一方、処理部７３１は、自己（処理部７３１）が通信対象として選択されなかったと判定した場合には、処理部７３２を所定のオン状態にして、処理部７３２を通常の動作状態とする。この場合、処理部７３２では、通常通りに、アンテナ７１１からの電力が消費される。また、この場合、処理部７３１は、例えば、低消費電力モードに遷移してもよい。
【００７１】
このように、ＩＣカード６１１では、非接触の通信処理方式が異なる２個の処理部７３１〜７３２を有するＩＣチップ７１２が１個のアンテナ７１１に接続されている。そして、ＩＣカード６１１では、端末によって一方の処理部７３１が選択された場合、選択された当該処理部７３１が他方の処理部７３２の動作の一部または全部を停止させる。
【００７２】
なお、処理部７３２の制御を行う処理部７３１において行われる処理の手順の一例は、概略的に、図４に示されるフローチャートと同様である。
初期の状態では、処理部７３２はオン状態であるとする。
本実施形態では、図４に示される（ステップＳ４）の処理において、一方の処理部７３１は、他方の処理部７３２を制御することで、当該他方の処理部７３２の所定の一部または全部の機能の起動の可否（起動のオンとオフ）について、当該起動を不可（オフ）とするように切り替える。
【００７３】
ここで、図８の例では、それぞれ異なるプログラムに基づいて動作する２個の処理部７３１〜７３２のうちの一方の処理部７３１が他方の処理部７３２を制御する構成を示したが、他の構成例として、２個の処理部７３１〜７３２により行われる処理が共通のプログラムによって記述されてもよい。この場合、当該共通のプログラムにおいて、一方の処理部７３１がアンテナ７１１を用いて非接触の通信を行うときには他方の処理部７３２の所定の一部または全部の機能をオフにすることが、記述される。なお、例えば、２個の処理部７３１〜７３２が、共通のＣＰＵを用いて構成されてもよい。
【００７４】
上記実施形態によれば、ＩＣカード６１１において、第１の通信機能（本実施形態では、通信処理部７５１の機能）を含む第１の処理部（本実施形態では、処理部７３１）と、第２の通信機能（本実施形態では、通信処理部７７１の機能）を含む第２の処理部（本実施形態では、処理部７３２）と、第１の通信機能と第２の通信機能により共用されるアンテナ７１１と、を備え、第１の処理部は、第１の通信機能によりアンテナ７１１を用いて通信を行う場合に、第２の処理部の少なくとも一部の機能を停止させる。
これにより、ＩＣカード６１１では、低消費電力で２個の処理部（本実施形態では、処理部７３１、処理部７３２）が共通のアンテナ７１１を共用することができる。
【００７５】
上記実施形態によれば、ＩＣカード６１１において、第１の処理部は、第２の処理部と比べて、アンテナ７１１を用いて通信を行う場合の消費電力が大きい。
これにより、アンテナ７１１を用いて通信を行う場合の消費電力が大きい処理部７３１について、当該処理部７３１による非接触の通信で消費可能な電力を十分に確保することができる。
上記実施形態によれば、ＩＣカード６１１において、第１の処理部は、第２の処理部と比べて、より高速処理を求められる。
これにより、より高速処理を求められる処理部７３１について、当該処理部７３１による処理の速度（高速処理）を十分に確保することができる。
【００７６】
上記実施形態によれば、一構成例として、ＩＣカード６１１において、第１の通信機能を含む第１の処理部と第２の通信機能を含む第２の処理部とを有するＩＣモジュールと、第１の通信機能と第２の通信機能により共用されるアンテナ７１１と、当該ＩＣモジュールとアンテナ７１１が埋め込まれたカード本体と、を備える構成とすることが可能である。
【００７７】
以上説明した少なくともひとつの実施形態によれば、ＩＣカードにおいて、２個の処理部のうちの一方の処理部が、アンテナを用いて通信を行う場合に、他方の処理部の一部または全部の機能を停止させる機能を持つことにより、低消費電力で２個の処理部が共通のアンテナを共用することができる。
【００７８】
以上の実施形態に関し、以下のように表現される構成とすることもできる。
第１のＩＣチップと、第２のＩＣチップと、前記第１のＩＣチップと前記第２のＩＣチップにより共用されるアンテナと、を備え、
前記第１のＩＣチップは、前記アンテナを用いて通信を行う場合に、前記第２のＩＣチップの一部または全部の機能を停止させる制御信号を出力する、
ＩＣカード。
【００７９】
以上の実施形態に関し、以下のように表現される構成とすることもできる。
第１の通信機能を含む第１の処理部と、第２の通信機能を含む第２の処理部と、前記第１の通信機能と前記第２の通信機能により共用されるアンテナと、を備え、
前記第１の処理部は、前記第１の通信機能により前記アンテナを用いて通信を行う場合に、前記第２の処理部の少なくとも一部の機能を停止させる制御を前記第２の処理部に対して実行する、
ＩＣカード。
【００８０】
以上に示した実施形態に係る各装置（例えば、ＩＣカード１１、２１１、４１１、６１１、端末１２）の機能を実現するためのプログラムをコンピュータ読み取り可能な記録媒体に記録して、この記録媒体に記録されたプログラムをコンピュータシステムに読み込ませ、実行することにより、処理を行うことができる。
なお、ここでいう「コンピュータシステム」とは、オペレーティングシステム（ＯＳ：Operating System）あるいは周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disc）等の可搬媒体、コンピュータシステムに内蔵されるハードディスク等の記憶装置のことをいう。
【００８１】
さらに、「コンピュータ読み取り可能な記録媒体」とは、インターネット等のネットワークあるいは電話回線等の通信回線を介してプログラムが送信された場合のサーバあるいはクライアントとなるコンピュータシステム内部の揮発性メモリ（例えばＤＲＡＭ（Dynamic Random Access Memory））のように、一定時間プログラムを保持しているものも含むものとする。
また、上記のプログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
このように、各機能部は、ソフトウェア機能部であってもよく、または、ＬＳＩ等のハードウェア機能部であってもよい。
【００８２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８３】
１…通信システム、１１、２１１、４１１、６１１…ＩＣカード、１２…端末、１３…無線の通信路、２１、３１１、７１１…アンテナ、２２、２３、３１２、３１３、５１１、７１２…ＩＣチップ、２４…スイッチ、３１、７１、３３１、３７１、５３１、７３１、７３２…処理部、３２、７２、３３２、３７２、５３２、７３３…記憶部、５１、９１、３５１、３９１、５５１、７５１、７７１…通信処理部、５２…スイッチ切替部、１１１…ＲＯＭ、１１２…ＲＡＭ、１１３…ＥＥＰＲＯＭ、１１４…ＣＰＵ、１１５…コプロセッサ、１１６…システムバス、１５１〜１５２、１７１…ＩＣモジュール、１６１、１８１…カード基材、３５２、７５２…抑制部
【図１】
2018116479.tif 000003
【図２】
2018116479.tif 000004
【図３】
2018116479.tif 000005
【図４】
2018116479.tif 000006
【図５】
2018116479.tif 000007
【図６】
2018116479.tif 000008
【図７】
2018116479.tif 000009
【図８】
2018116479.tif 000010